(57)【要約】      （修正有）【課題】底板部の左右方向の端部から塵が落ちにくく、左右方向の通気の妨げにならず、持ち上げる際に力が所定の位置にかかって姿勢が安定するとともに持ち上げやすい、加熱調理器の塵受け部材を提供する。【解決手段】本体ケーシング２と、上面部に設けられる加熱部と、本体ケーシング２内に収納されるグリルと、を備え、上面部にグリルからの排気を排出するための排気口２１１を有する加熱調理器１の排気口２１１に設けられる塵受け部材５である。塵受け部材５は、塵を受ける底板部と、底板部の後端部から上方に突出する後板部５２と、底板部の左右方向の端部から上方に突出する側板部と、を有し、側板部の一部に指掛け孔５４を有する。【選択図】図３
2018179426.tif 000002
【特許請求の範囲】
【請求項１】
本体ケーシングと、
前記本体ケーシングの上面部に設けられて加熱対象が載置され、前記加熱対象を加熱するための加熱部と、
前記本体ケーシング内に収納されるグリルと、を備え、
前記本体ケーシングの前記上面部に前記グリルからの排気を排出するための排気口を有する加熱調理器の前記排気口に設けられる塵受け部材であって、
前記排気口に挿通可能で塵を受ける底板部と、前記底板部の後端部から上方に突出する後板部と、前記底板部の左右方向の端部から上方に突出する側板部と、を有し、
前記側板部の一部に指掛け孔を有する、加熱調理器の塵受け部材。
【請求項２】
前記側板部は、前後方向の長さよりも上下方向の長さの方が長く形成されており、前記指掛け孔の上端縁が前記側板部の上下方向の中央よりも上方に位置している、請求項１記載の加熱調理器の塵受け部材。
【請求項３】
前記指掛け孔は、上下方向を長手方向とする長円形状をしている、請求項１または２に記載の加熱調理器の塵受け部材。
【請求項４】
前記側板部の前記指掛け孔の周縁部に、左右方向の外方に突出する周壁部を有する、請求項１〜３のいずれか一項に記載の加熱調理器の塵受け部材。
【請求項５】
前記底板部の周縁部の前記後板部および前記側板部が設けられていない箇所に、前記後板部および前記側板部の上下方向の長さよりも短い上下方向の長さの周板部を有する、請求項１〜４のいずれか一項に記載の加熱調理器の塵受け部材。
【請求項６】
前記側板部の上端部に、前記上面部の前記排気口の周縁部に載置される載置片を有する、請求項１〜５のいずれか一項に記載の加熱調理器の塵受け部材。
【発明の詳細な説明】
【技術分野】
【０００１】
本発明は、加熱調理器の塵受け部材に関する。
【背景技術】
【０００２】
従来、本体ケーシングの上面部に設けられる加熱部と、本体ケーシング内に収納されるグリルとを備えた加熱調理器が知られている（例えば特許文献１参照）。特許文献１に示される加熱調理器にあっては、本体ケーシングの上面部に、グリルからの排気を排出するための排気口が設けられている。排気口には、本体ケーシングの上面部の上側から排気口を介して本体ケーシング内に侵入しようとするご飯粒等の塵を受ける塵受け部材が設けられている。
【０００３】
塵受け部材は、塵を受ける底板部と、底板部の後端部から上方に突出する後板部と、底板部の左右方向の端部から上方に突出する、線材からなる杆状体と、を有している。塵受け部材は、線材からなる杆状体が本体ケーシングの排気口の周縁部に載置されることで、排気口に設けられる。
【先行技術文献】
【特許文献】
【０００４】
【特許文献１】特開２０１６−１０５０４０号公報
【発明の概要】
【発明が解決しようとする課題】
【０００５】
上述した特許文献１に示される加熱調理器にあっては、塵受け部材の左右方向の端部に線材からなる杆状体が位置しているため、左右方向の通気の妨げにはならない。しかしながら、底板部が受ける塵が、底板部の左右方向の端部から線材の隙間を通って本体ケーシング内にこぼれ落ちるおそれがある。
【０００６】
また、塵受け部材を排気口から取り外すには、本体ケーシングの排気口の周縁部に載置されている杆状体をつまんで持ち上げる必要があり、線材からなる杆状体は指でつまみにくい。また、杆状体を指でつまんでも、つまむ部位によっては杆状体が傾いて、排気口から上方に引き上げるときに上面部の排気口の周縁部に接触したりして真っ直ぐに引き上げることができず、底板部で受けた塵がこぼれ落ちたりするおそれがあった。
【０００７】
本発明は上記従来の問題点に鑑みて発明したものであって、その目的とするところは、底板部の左右方向の端部から塵が落ちにくく、左右方向の通気の妨げにならず、持ち上げる際に力が所定の位置にかかって姿勢が安定するとともに持ち上げやすい、加熱調理器の塵受け部材を提供することにある。
【課題を解決するための手段】
【０００８】
本発明の請求項１に係る発明は、本体ケーシングと、前記本体ケーシングの上面部に設けられて加熱対象が載置され、前記加熱対象を加熱するための加熱部と、前記本体ケーシング内に収納されるグリルと、を備え、前記本体ケーシングの前記上面部に前記グリルからの排気を排出するための排気口を有する加熱調理器の前記排気口に設けられる塵受け部材である。
【０００９】
塵受け部材は、前記排気口に挿通可能で塵を受ける底板部と、前記底板部の後端部から上方に突出する後板部と、前記底板部の左右方向の端部から上方に突出する側板部と、を有し、前記側板部の一部に指掛け孔を有する。
【００１０】
本発明の請求項２に係る発明は、請求項１に係る発明において、前記側板部は、前後方向の長さよりも上下方向の長さの方が長く形成されており、前記指掛け孔の上端縁が前記側板部の上下方向の中央よりも上方に位置している。
【００１１】
本発明の請求項３に係る発明は、請求項１または２に係る発明において、前記指掛け孔は、上下方向を長手方向とする長円形状をしている。
【００１２】
また、請求項４に係る発明は、請求項１〜３のいずれか一項に係る発明において、前記側板部の前記指掛け孔の周縁部に、左右方向の外方に突出する周壁部を有する。
【００１３】
また、請求項５に係る発明は、請求項１〜４のいずれか一項に係る発明において、前記底板部の周縁部の前記後板部および前記側板部が設けられていない箇所に、前記後板部および前記側板部の上下方向の長さよりも短い上下方向の長さの周板部を有する。
【００１４】
また、請求項６に係る発明は、請求項１〜５のいずれか一項に係る発明において、前記側板部の上端部に、前記上面部の前記排気口の周縁部に載置される載置片を有する。
【発明の効果】
【００１５】
請求項１に係る発明にあっては、底板部の左右方向の端部に側板部が設けられているため、塵が底板部の左右方向の端部からこぼれ落ちるのが抑制される。また、指掛け孔により左右方向の通気が妨げられない。また、持ち上げる力が指掛け孔の上端縁という定まった箇所にかかるため、塵受け部材の姿勢が安定し、塵受け部材を真っ直ぐに引き上げても排気口の周縁部に接触したりせず、塵受け部材を持ち上げやすい。
【００１６】
請求項２に係る発明にあっては、指掛け孔に指を掛けて塵受け部材を持ち上げた際に、より一層、塵受け部材の姿勢が安定する。
【００１７】
請求項３に係る発明にあっては、塵受け部材の姿勢の安定性を損なうことなく、指掛け孔に指を挿入しやすくすることができる。
【００１８】
請求項４に係る発明にあっては、指を指掛け孔に挿入したときに指が当たって痛みを感じるおそれが低減する。
【００１９】
請求項５に係る発明にあっては、底板部の周縁部の後板部および側板部が設けられていない箇所から、塵がこぼれ落ちるのが抑制される。
【００２０】
請求項６に係る発明にあっては、上面部の排気口の周縁部に載置片を載置して、塵受け部材を容易に排気口に設けることができる。
【図面の簡単な説明】
【００２１】
【図１】図１は、本発明の一実施形態に係る加熱調理器の前斜め上方より見た斜視図である。
【図２】図２は、同上の加熱調理器の加熱手段の構成図である。
【図３】図３は、同上の加熱調理器の排気カバーが取り外された上面部の後部を前斜め上方より見た斜視図である。
【図４】図４は、同上の加熱調理器の塵受け部材を前斜め上方より見た斜視図である。
【図５】図５Ａは、同上の塵受け部材の平面図である。図５Ｂは、同上の塵受け部材の正面図である。図５Ｃは、同上の塵受け部材の右側面図である。
【発明を実施するための形態】
【００２２】
本発明に係る加熱調理器の塵受け部材の一実施形態について、図１〜図５に基いて説明する。
【００２３】
本実施形態における加熱調理器１は、キッチンカウンターに形成された凹部に設置されるビルトイン型のグリル付きガスコンロである。
【００２４】
図１に示すように、加熱調理器１は、本体ケーシング２と、加熱手段３と、加熱部１１と、グリル１２と、操作部４と、制御部（不図示）と、を備える。本体ケーシング２は、上方に開口する筐体２０と、筐体２０の上開口を覆う天板２１とを備える。加熱手段３は、コンロバーナ３０およびグリルバーナ（不図示）により構成される。制御部は、マイクロコンピュータを有し、操作部４からの操作を受けて加熱手段３を制御する。加熱手段３および制御部は本体ケーシング２内に収納される。操作部４は、ボタン、スイッチ、タッチパネル等を有するが、形態は特に限定されない。
【００２５】
ここで、加熱調理器における前後方向を定義する。図１に示すように、設計上、ガスコンロに対して使用者が位置する方を前方Ｆとするとともにその反対を後方Ｂとする。左右については、後方Ｂを向いた時の左方Ｌおよび右方Ｒとする。
【００２６】
本実施形態では、天板２１の前部の左部に左コンロバーナ３０Ａが設けられ、天板２１の後部の左右方向中央に奥コンロバーナ３０Ｂが設けられ、天板２１の全部の右部に右コンロバーナ３０Ｃが設けられる。天板２１の各コンロバーナ３０が設けられる部分にコンロバーナ挿通口（不図示）がそれぞれ形成され、各コンロバーナ挿通口を挿通してコンロバーナ３０の略円形状をした上部がそれぞれ上方に露出する。
【００２７】
本体ケーシング２の上面部２２を構成する天板２１には、その上面のコンロバーナ挿通口の周囲に、調理容器等の加熱対象（不図示）が載置される五徳１１１が設置されている。本実施形態では、コンロバーナ３０が、加熱対象を加熱するための加熱部１１を構成する。
【００２８】
ガスコンロは、グリル１２を備えている。グリル１２は、本体ケーシング２内に収納されるグリル庫１２０を有する。グリル庫１２０は、内部にグリルバーナを備え、内部空間を燃焼室とするものである。図３に示すように、燃焼室から後方Ｂに向けて、グリルバーナからの排気を排出するための排気ダクト部１２２が連設されている。排気ダクト部１２２の下流端開口１２３は、天板２１の後部の下側に位置しており、下流端開口１２３から排出される排気は、天板２１の加熱部１１よりも後方に設けられた排気口２１１を介して天板２１の上方に排出される。天板２１には、通気可能に排気口２１１の周縁部２１２に、排気口２１１を覆う排気カバー２１３が設置される。周縁部２１２は、天板２１の周縁部２１２以外の部分よりも低い段差部となっており、この段差部に排気カバー２１３が嵌め込まれることにより設置される。
【００２９】
グリル庫１２０は、前開口（不図示）を有しており、前開口を介して前方Ｆより加熱対象を出し入れ可能である。前開口には、グリル扉１２１が開閉自在に設けられる。グリル扉１２１は、本体ケーシング２の前面部２３を構成する。
【００３０】
加熱手段３について説明する。図２に示すように、各コンロバーナ３０、グリルバーナに燃料ガスを通流させるガス流路３１がそれぞれ設けられる。各ガス流路３１には、上流側より、安全弁３２、メイン弁３３および流量制御弁３４が設けられている。このような弁を有するガス流路３１を通流して、コンロバーナ３０およびグリルバーナに都市ガス等の燃料ガスが供給される。これらの構成部材は、本体ケーシング２内に収納されて、加熱手段３を構成する。なお、コンロバーナ３０の上端部等、加熱手段３の一部が本体ケーシング２外に位置してもよい。図２中の符号３５は点火プラグであり、符号３６は熱電対やサーミスタ等からなる点火検知装置である。
【００３１】
図１に示すように、グリル扉１２１の両側にはそれぞれ、本体ケーシング２の前面部２３を構成する前面パネル２４が設けられている。
【００３２】
図１に示すように、前面部２３の左部の上部の前面パネル２４１には、左コンロバーナ３０Ａ用の点消火ボタン１３Ａと、奥コンロバーナ３０Ｂ用の点消火ボタン１３Ｂとが設けられている。前面部２３の右部の上部の前面パネル２４２には、グリルバーナ用の点消火ボタン１３Ｄと、右コンロバーナ３０Ｃ用の点消火ボタン１３Ｃとが設けられている。点消火ボタン１３Ａ〜１３Ｄを操作することで、加熱の開始（点火）または加熱の停止（消火）の指令を制御部に与えて、加熱手段３による加熱の開始または停止を行う。
【００３３】
また、前面パネル２４１、２４２には、流量制御弁３４の開度を手動で調節するための火力調節レバー１４が設けられている。火力調節レバー１４は、流量制御弁３４毎に設けられてもよいし、流量制御弁３４毎に設けられなくてもよい。
【００３４】
前面部２３の左部の下部の前面パネル２４３および前面部２３の右部の下部の前面パネル２４４には、上部が回動して開閉する方式の機構である、いわゆるカンガルーポケット機構により収納および露出が自在に切り替えられる操作部が設けられている。操作部を操作することにより、加熱部１１やグリル１２において各種の自動調理を行うことができる。
【００３５】
このような加熱調理器１にあっては、上述したように、天板２１に排気口２１１が設けられている。天板２１の上面側から、ご飯粒や食材、その他のごみ等（総称して塵という）が排気口２１１を介して本体ケーシング２内に侵入するのを抑制するため、排気カバー２１３が設けられている。しかしながら、排気カバー２１３は、通気可能となるように、多数の小さな通気孔が形成されている。このため、通気孔よりも大きな塵は、排気カバー２１３によって侵入が阻止されるものの、通気孔よりも小さな塵は、通気孔より侵入するおそれがある。そこで、通気孔および排気口２１１を通って本体ケーシング２内に侵入しようとする塵を受ける塵受け部材５が設けられる。
【００３６】
塵受け部材５は、図４、図５に示すように、塵を受ける底板部５１と、底板部５１の後端部から上方に突出する後板部５２と、底板部５１の左右方向の端部から上方に突出する側板部５３と、を有する。
【００３７】
底板部５１は、図５Ａに示すように、平面視矩形状をしたもので、天板２１に形成されている排気口２１１に挿通可能である。図３に示すように、底板部５１には、排気口２１１に挿通されたときに排気ダクト部１２２との干渉を避けるための逃げ凹所５１１が形成されている。
【００３８】
後板部５２は、図５Ｂに示すように、正面視矩形状をしたものである。後板部５２は、底板部５１の後端部の左右方向の両端部を除く部分に設けられており、後板部５２の左右方向の長さは、底板部５１の左右方向の長さよりも若干短い。後板部５２の上端部には、上面部２２の排気口２１１の周縁部２１２（具体的には排気口２１１の左右に隣接する周縁部２１２）に載置される載置片５２１が設けられている。載置片５２１は、一部（本実施形態では左右方向の中央部）が凹んで、その下面が他の部分の下面よりも低い載置部５２２が設けられている。後板部５２の載置片５２１を除く部分は、排気口２１１に挿通される。
【００３９】
側板部５３は、図５Ｃに示すように、前後方向の長さよりも上下方向の長さの方が長い、側面視矩形状をしたものである。側板部５３は、底板部５１の後端部の前後方向の両端部を除く部分に設けられており、側板部５３の前後方向の長さは、底板部５１の前後方向の長さよりも若干短い。側板部５３の上端部には、上面部２２の排気口２１１の周縁部２１２（具体的には排気口２１１の後方の周縁部２１２）に載置される載置片５３１が設けられる。側板部５３の載置片５３１を除く部分は、排気口２１１に挿通される。
【００４０】
本実施形態では、一枚の板状部材から、プレス加工により、底板部５１、後板部５２および側板部５３が一体成形される。塵受け部材５は、上下長さが長く、深絞り加工が難しいため、上述したように、後板部５２の左右方向の長さおよび側板部５３の前後方向の長さは、底板部５１の対応する長さよりも若干短く、後板部５２と側板部５３とは連続していない。そこで、底板部５１の周縁部の後板部５２および側板部５３が設けられていない箇所に、後板部５２および側板部５３の上下方向の長さよりも短い上下方向の長さの周板部５６を有している。
【００４１】
そして、側板部５３の一部に指掛け孔５４が形成される。指掛け孔５４は、本実施形態では、バーリング加工により形成される。指掛け孔５４は、標準的な成人の指が挿通しやすい寸法および形状に形成される。一例として、指掛け孔５４の幅（左右方向の長さ）は、１５ｍｍ等、１０〜２０ｍｍの範囲で形成されるが、この範囲外の寸法であってもよい。
【００４２】
また、指掛け孔５４の上下方向の長さは、１０ｍｍ以上に形成される。本実施形態では、指掛け孔５４は、上下方向を長手方向とする長円形状をしている。さらに詳しくは、指掛け孔５４の外郭形状は、上端部の辺および下端部の辺が半円状であるとともに、その間の左右の側辺が直線状となっている。ここで、上下方向を長手方向とする長円形状とは、左右方向よりも上下方向に長く、外郭が外方に凸となり（但し、一部が平坦または凹となってもよい）、尖った部分がない滑らかな曲線（但し、一部が直線であってもよい）で連続する形状をいい、楕円も該当する。
【００４３】
この塵受け部材５にあっては、底板部５１の左右方向の端部に側板部５３が設けられているため、特許文献１に示されるもののように、線材からなる杆状体の隙間を通って塵が本体ケーシング２内にこぼれ落ちるのが抑制される。
【００４４】
また、側板部５３には指掛け孔５４が形成されているため、左右方向の通気が妨げられない。
【００４５】
また、排気口２１１から取り外すには、図３に示すように、排気カバー２１３を取り外した状態で、上方より両手の指を天板２１の排気口２１１に挿し入れて、塵受け部材５の内方から外方に向けて、両側の側板部５３の指掛け孔５４に挿入する。次に、指掛け孔５４の上端縁５４１に指を掛けて持ち上げて、排気口２１１を挿通させて天板２１の上方に取り出す。このように、持ち上げる力が指掛け孔５４の上端縁５４１にかかるため、塵受け部材５の姿勢が安定し、上方に引き上げるにあたって、真っ直ぐに引き上げても塵受け部材５が天板２１の排気口２１１の周縁部２１２に接触したりせず、塵受け部材５を持ち上げやすい。
【００４６】
また、指掛け孔５４が上下方向を長手方向とする長円形状をしていることにより、指掛け孔５４の幅を大きくすることなく、指掛け孔５４に指を挿入しやすくすることが可能となる。すなわち、指掛け孔５４の幅を大きくすると、指を挿入しやすくなるものの、指を掛ける位置が定まりにくくなり、塵受け部材５の姿勢が安定しにくくなるが、このようなことがない。
【００４７】
また、上下方向の長さが短いものの周板部５６を有しているため、底板部５１の周縁部の後板部５２および側板部５３が設けられていない箇所から、塵がこぼれ落ちるのが抑制される。
【００４８】
さらに、本実施形態では、指掛け孔５４の上端縁５４１が側板部５３の上下方向の中央よりも上方に位置している。これにより、指掛け孔５４に指を掛けて塵受け部材５を持ち上げた際に、より一層、塵受け部材５の姿勢が安定する。
【００４９】
さらに、本実施形態では、側板部５３の指掛け孔５４の周縁部に、左右方向の外方に突出する周壁部５５を有する。周壁部５５は、バーリング加工により側板部５３に指掛け孔５４を穿設する際に形成されるバーリング壁である。このように外方に突出する周壁部５５が側板部５３の指掛け孔５４の周縁部に形成されることにより、指を挿入する塵受け部材５の内方側には周壁部５５のような突出物がなく、指を指掛け孔５４に挿入したときに指が当たって痛みを感じるおそれが低減する。
【００５０】
次に、上述した加熱調理器の塵受け部材５の変形例について説明する。
【００５１】
上記実施形態では、加熱調理器１は、ビルトイン型のグリル付きガスコンロであったが、ビルトイン型でなくてもよい。
【００５２】
上記実施形態では、本体ケーシング２を構成する筐体２０は、底板、左右の側板、後板を備えていたが、底板、左右の側板および後板を備えなくてもよい。また、本体ケーシング２は、上面部２２を構成する天板２１と筐体２０とが別体であったが、上面部２２を一体としてもよい。
【００５３】
上記実施形態では、加熱手段３は、コンロバーナ３０およびグリルバーナにより構成されていたが、電磁誘導加熱（Induction Heating、いわゆるＩＨ）を行うものでもよく、特に限定されない。
【００５４】
上記実施形態では、コンロバーナ３０として、左コンロバーナ３０Ａ、奥コンロバーナ３０Ｂおよび右コンロバーナ３０Ｃの三個が設けられていたが、コンロバーナの個数や設けられる位置は限定されない。
【００５５】
上記実施形態では、加熱部１１は、コンロバーナ３０により構成されていたが、特にコンロバーナ３０により構成されなくてもよく、また、五徳１１１は設けられなくてもよい。例えば、天板２１の上面のコンロバーナ挿通口の周囲を加熱部１１とし、加熱対象が載置されるようにしてもよい。また、ＩＨ加熱調理器の場合には、天板２１の上面がそのまま加熱部１１となる。加熱部１１の個数は限定されず、通常はコンロバーナ３０と同じ個数の加熱部１１が設けられる。
【００５６】
上記実施形態では、排気口２１１は、上面部２２の加熱部１１よりも後方の位置に設けられているが、排気口２１１が設けられる位置は限定されない。
【００５７】
上記実施形態では、後板部５２の左右方向の長さは、底板部５１の左右方向の長さよりも若干短かったが、底板部５１の左右方向の長さと同じに形成されてもよい。また、側板部５３の前後方向の長さは、底板部５１の前後方向の長さよりも若干短かったが、底板部５１の前後方向の長さと同じに形成されてもよい。また、後板部５２の左右方向の長さが底板部５１の左右方向の長さと同じに形成されるとともに、側板部５３の前後方向の長さが底板部５１の前後方向の長さと同じに形成される場合、後板部５２と両側の側板部５３とが連続してもよい。
【００５８】
上記実施形態では、側板部５３は、前後方向の長さよりも上下方向の長さの方が長い側面視矩形状に形成されているが、側面視矩形状でなくてもよく、前後方向の長さよりも上下方向の長さの方が短くてもよく、寸法および形状は特に限定されない。
【００５９】
上記実施形態では、一枚の板状部材から、プレス加工により、底板部５１、後板部５２および側板部５３が一体成形されていたが、特にプレス加工により形成されなくてもよく、別体として形成された底板部５１、後板部５２および側板部５３が溶接により一体に成形されてもよい。また、別体の底板部５１、後板部５２および側板部５３がビス止めにより組み合わされてもよく、底板部５１、後板部５２および側板部５３が一体成形されなくてもよい。
【００６０】
上記実施形態では、後板部５２に設けられた載置片５２１および両側板部５３に設けられた載置片５３１が排気口２１１の周縁部２１２に載置されることにより、塵受け部材５が排気口２１１に設けられるものであったが、載置片５２１が設けられず載置片５３１のみが設けられてもよいし、載置片５２１および載置片５３１が設けられず、底板部５１が支持される構成としてもよい。
【００６１】
上記実施形態では、指掛け孔５４は周囲が閉じられた孔であるが、周囲の一部が開放された切欠であってもよい。
【００６２】
上記実施形態では、指掛け孔５４は、上下方向を長手方向とする長円形状をしているが、このような長円形状に形成されなくてもよい。
【符号の説明】
【００６３】
１      加熱調理器
１１    加熱部
１２    グリル
２      本体ケーシング
２１１  排気口
２１２  周縁部
２２    上面部
５      塵受け部材
５１    底板部
５２    後板部
５３    側板部
５３１  載置片
５４    指掛け孔
５４１  上端縁
５５    周壁部
５６    周板部
【図１】
2018179426.tif 000003
【図２】
2018179426.tif 000004
【図３】
2018179426.tif 000005
【図４】
2018179426.tif 000006
【図５】
2018179426.tif 000007